(57)【特許請求の範囲】
【請求項１】
容器中に所定個数の内容物を収容可能な所定個数収容部を有し、かつ該所定個数収容部から少なくとも２以上の内容物が取出し可能な開口を有する容器であって、
前記所定個数収容部は、内容物を容器内部から移動して一列に整列可能であるとともに、仕切りにより区画された間仕切り形状の空間であり、
該容器は前記開口を覆う該容器から飛び出さないでスライド自在なスライド機構を有する蓋体を有し、所望個数の内容物が取り出し可能な開口位置において前記蓋体がロック可能なロック機構を形成し、
前記蓋体のロック位置が所望個数の内容物の大きさの開口が形成される位置となることを特徴とする、可変定量取出し容器。
【請求項２】
容器中に所定個数の内容物を収容可能な所定個数収容部を有し、かつ該所定個数収容部から少なくとも２以上の内容物が取出し可能な開口を有する容器であって、
前記所定個数収容部は、内容物を容器内部から移動して一列に整列可能であるとともに、前記容器の一部が突出した突出部によって形成された狭所形状の空間であり、
該容器は前記開口を覆う該容器から飛び出さないでスライド自在なスライド機構を有する蓋体を有し、所望個数の内容物が取り出し可能な開口位置において前記蓋体がロック可能なロック機構を形成し、
前記蓋体のロック位置が所望個数の内容物の大きさの開口が形成される位置となることを特徴とする、可変定量取出し容器。
【請求項３】
容器中に所定個数の内容物を収容可能な所定個数収容部を有し、かつ該所定個数収容部から少なくとも２以上の内容物が取出し可能な開口を有する容器であって、
前記所定個数収容部は、内容物を容器内部から移動して一列に整列可能であるとともに、前記容器の形状そのものによって形成される空間であり、
該容器は前記開口を覆う該容器から飛び出さないでスライド自在なスライド機構を有する蓋体を有し、所望個数の内容物が取り出し可能な開口位置において前記蓋体がロック可能なロック機構を形成し、
前記蓋体のロック位置が所望個数の内容物の大きさの開口が形成される位置となることを特徴とする、可変定量取出し容器。
【請求項４】
前記ロック機構は、前記容器および前記蓋体に形成された、前記所望個数の内容物が取り出し可能な開口位置に形成された凹凸部位が係合することにより、所望個数の取出しが可能な開口が形成されることを特徴とする、請求項１乃至３のいずれかに記載の可変定量取出し容器。
【請求項５】
前記スライド機構は、蓋体に形成された凸形状の係合部材が、前記容器に形成されたスライド孔へと嵌合しつつスライドするセンターレール方式であることを特徴とする、請求項１乃至４のいずれかに記載の可変定量取出し容器。
【請求項６】
前記スライド機構は、前記蓋体がスライドするスライド枠の内周に形成された凹レールへと、蓋体に形成された凸レールが、内側より係合しつつスライドする内レール方式であることを特徴とする、請求項１乃至４のいずれかに記載の可変定量取出し容器。
【請求項７】
前記スライド機構は、蓋体に形成された凸レールが、前記スライド枠に形成された凹レールへと、外側より係合しつつスライドする外レール方式であることを特徴とする、請求項１乃至４のいずれかに記載の可変定量取出し容器。
【請求項８】
前記開口を覆う蓋体は、容器に形成された軸周りに回転自在に形成された、回転型の蓋体であることを特徴とする、請求項１乃至７のいずれかに記載の可変定量取出し容器。
【発明の詳細な説明】
【技術分野】
【０００１】
本発明は、所望個数の内容物を取り出し可能な可変定量取出し容器に関する。
【背景技術】
【０００２】
清涼用粒菓や錠菓等の粒状物を小出しに使用するための携帯型の容器としては、例えば特許文献１に示すような、カード型のケースに設けた小出し用の穴を開閉自在のキャップによって開閉するようにした容器が、従来から知られている。この種の容器としては、片手で把持できる程度のサイズ、すなわち携帯可能なサイズをした容器であって、中に粒状の菓子類を収納したものが多く出回っている。そして、通常これらの容器は、指先やもう一方の手で容器の一部をスライドするか、或いは回転させることで開口を形成し、その開口を下向きにして手のひらで受けるようにし、中に収納されている粒状物を開口から振り出す構成である。
【０００３】
上記した従来の容器は、図３８に示すように、容器Ｐに形成した開口Ｑを下向きにして中身を振り出そうとすると、その開口Ｑから粒状物が次々と出てしまうことがある。特に、球状をした粒状物についてはその傾向が著しい。そして、粒状物が必要以上に出ると、容器Ｐの中に戻したりするのが面倒である。このような事態を招かないようにするには、手のひらで受けながら注意深く小刻みに振るようにするが、取出し個数も操作回数ごとに異なり、予め内容物を所望の個数だけ選択的に取り出すことは困難である。
【０００４】
また、年齢や症状等により摂取量が２個や３個などと異なる、薬剤やサプリメントなどの内容物であった場合では、予め定まった量のみを取出す定量取出し容器では、対応することができないという問題がある。
【０００５】
【特許文献１】特開２００５−１８７０７７号公報
【発明の開示】
【発明が解決しようとする課題】
【０００６】
本発明は、これらの課題を解決し、容器から内容物を取出す際に１回の操作で間単に、所望個数の内容物を取出し可能な、可変定量取出し容器を提供することを目的とする。
【課題を解決するための手段】
【０００７】
上記課題を解決すべく、本発明の請求項１は、容器中に所定個数の内容物を収容可能な所定個数収容部を有し、かつ該所定個数収容部から少なくとも２以上の内容物が取出し可能な開口を有する容器であって、前記所定個数収容部は、内容物を容器内部から移動して一列に整列可能であるとともに、仕切りにより区画された間仕切り形状の空間であり、該容器は前記開口を覆う該容器から飛び出さないでスライド自在なスライド機構を有する蓋体を有し、所望個数の内容物が取り出し可能な開口位置において前記蓋体がロック可能なロック機構を形成し、前記蓋体のロック位置が所望個数の内容物の大きさの開口が形成される位置となることを特徴とする、可変定量取出し容器である。
また、請求項２記載の発明は、容器中に所定個数の内容物を収容可能な所定個数収容部を有し、かつ該所定個数収容部から少なくとも２以上の内容物が取出し可能な開口を有する容器であって、前記所定個数収容部は、内容物を容器内部から移動して一列に整列可能であるとともに、前記容器の一部が突出した突出部によって形成された狭所形状の空間であり、該容器は前記開口を覆う該容器から飛び出さないでスライド自在なスライド機構を有する蓋体を有し、所望個数の内容物が取り出し可能な開口位置において前記蓋体がロック可能なロック機構を形成し、前記蓋体のロック位置が所望個数の内容物の大きさの開口が形成される位置となることを特徴とする、可変定量取出し容器である。
また、請求項３記載の発明は、容器中に所定個数の内容物を収容可能な所定個数収容部を有し、かつ該所定個数収容部から少なくとも２以上の内容物が取出し可能な開口を有する容器であって、前記所定個数収容部は、内容物を容器内部から移動して一列に整列可能であるとともに、前記容器の形状そのものによって形成される空間であり、該容器は前記開口を覆う該容器から飛び出さないでスライド自在なスライド機構を有する蓋体を有し、所望個数の内容物が取り出し可能な開口位置において前記蓋体がロック可能なロック機構を形成し、前記蓋体のロック位置が所望個数の内容物の大きさの開口が形成される位置となることを特徴とする、可変定量取出し容器である。
【０００８】
また、請求項４記載の発明は、前記ロック機構は、前記容器および前記蓋体に形成された、前記所望個数の内容物が取り出し可能な開口位置に形成された凹凸部位が係合することにより、所望個数の取出しが可能な開口が形成されることを特徴とする、可変定量取出し容器である。
【０００９】
また、請求項５記載の発明は、前記スライド機構は、蓋体に形成された凸形状の係合部材が、前記容器に形成されたスライド孔へと嵌合しつつスライドするセンターレール方式であることを特徴とする、可変定量取出し容器である。
【００１０】
また、請求項６記載の発明は、前記スライド機構は、前記蓋体がスライドするスライド枠の内周に形成された凹レールへと、蓋体に形成された凸レールが、内側より係合しつつスライドする内レール方式であることを特徴とする、可変定量取出し容器である。
【００１１】
また、請求項７記載の発明は、前記スライド機構は、蓋体に形成された凸レールが、前記スライド枠に形成された凹レールへと、外側より係合しつつスライドする外レール方式であることを特徴とする、可変定量取出し容器である。
【００１５】
また、請求項８記載の発明は、前記開口を覆う蓋体は、容器に形成された軸周りに回転自在に形成された、回転型の蓋体であることを特徴とする、可変定量取出し容器である。
【発明の効果】
【００１６】
本発明の請求項１は、容器中に所定個数の内容物を収容可能な所定個数収容部を有し、かつ該所定個数収容部から少なくとも２以上の内容物が取出し可能な開口を有する容器であって、前記所定個数収容部は、内容物を容器内部から移動して一列に整列可能であるとともに、仕切りにより区画された間仕切り形状の空間であり、該容器は前記開口を覆う該容器から飛び出さないでスライド自在なスライド機構を有する蓋体を有し、所望個数の内容物が取り出し可能な開口位置において前記蓋体がロック可能なロック機構を形成し、前記蓋体のロック位置が所望個数の内容物の大きさの開口が形成される位置となることを特徴とするから、容器に生じる軽い振動等により、容器内の複数個の内容物が所定個数収容部内へと随時移動して整列することとなり、所望の量の内容物を、取り出すことができる効果がある。
また、請求項２記載の発明は、容器中に所定個数の内容物を収容可能な所定個数収容部を有し、かつ該所定個数収容部から少なくとも２以上の内容物が取出し可能な開口を有する容器であって、前記所定個数収容部は、内容物を容器内部から移動して一列に整列可能であるとともに、前記容器の一部が突出した突出部によって形成された狭所形状の空間であり、該容器は前記開口を覆う該容器から飛び出さないでスライド自在なスライド機構を有する蓋体を有し、所望個数の内容物が取り出し可能な開口位置において前記蓋体がロック可能なロック機構を形成し、前記蓋体のロック位置が所望個数の内容物の大きさの開口が形成される位置となることを特徴とするから、容器に生じる軽い振動等により、容器内の複数個の内容物が所定個数収容部内へと随時移動して整列することとなり、所望の量の内容物を、取り出すことができる効果がある。
また、請求項３記載の発明は、容器中に所定個数の内容物を収容可能な所定個数収容部を有し、かつ該所定個数収容部から少なくとも２以上の内容物が取出し可能な開口を有する容器であって、前記所定個数収容部は、内容物を容器内部から移動して一列に整列可能であるとともに、前記容器の形状そのものによって形成される空間であり、該容器は前記開口を覆う該容器から飛び出さないでスライド自在なスライド機構を有する蓋体を有し、所望個数の内容物が取り出し可能な開口位置において前記蓋体がロック可能なロック機構を形成し、前記蓋体のロック位置が所望個数の内容物の大きさの開口が形成される位置となることを特徴とするから、容器に生じる軽い振動等により、容器内の複数個の内容物が所定個数収容部内へと随時移動して整列することとなり、所望の量の内容物を、取り出すことができる効果がある。
【００１７】
また、請求項４記載の発明は、前記ロック機構は、前記容器および前記蓋体に形成された、前記所望個数の内容物が取り出し可能な開口位置に形成された凹凸部位が係合することにより、所望個数の取出しが可能な開口が形成されることを特徴とするから、簡単な構成により、ロック機構を形成することができるとともに、さらには、指でのスライド操作時において、可変定量取出し段に対応する凹凸部位が係合した際の、カチッと言うロック音と、蓋体のわずかな上下運動により、蓋体が所定位置にロックしたことを、耳と指との感覚で感じ取ることが可能である。
【００１８】
また、請求項５記載の発明は、前記スライド機構は、蓋体に形成された凸形状の係合部材が、前記容器に形成されたスライド孔へと嵌合しつつスライドするセンターレール方式であることを特徴とするから、簡単な構成により、強固なスライド機構を形成することができる効果がある。
【００１９】
また、請求項６記載の発明は、前記スライド機構は、前記蓋体がスライドするスライド枠の内周に形成された凹レールへと、蓋体に形成された凸レールが、内側より係合しつつスライドする内レール方式であることを特徴とするから、特に、蓋体およびスライド枠の大きさを小さく形成することができる効果がある。
【００２０】
また、請求項７記載の発明は、前記スライド機構は、蓋体に形成された凸レールが、前記スライド枠に形成された凹レールへと、外側より係合しつつスライドする外レール方式であることを特徴とするから、蓋体を小さく形成することができるとともに、容器本体の肉薄部分にスライド機構を形成することができる効果がある。
【００２４】
また、請求項８記載の発明は、前記開口を覆う蓋体は、容器に形成された軸周りに回転自在に形成された、回転型の蓋体であることを特徴とするから、曲面部分を有する容器の曲面部分にスライド機構を形成することができるとともに、意匠性が向上する効果がある。
【発明を実施するための最良の形態】
【００２５】
以下、図面を参照しつつ本発明の可変定量取出し容器１０の構成および実施例を説明する。図１は本発明に係る可変定量取出し容器１０（容器１０）の、（ａ）閉じた状態を示す斜視図、（ｂ）蓋体３０を１段階開いた状態を示す斜視図、（ｃ）蓋体３０を２段階開いた状態を示す図である。
【００２６】
この取出し容器１０は、内容物を取り出す開口９を備える容器本体２０と、前記開口９を開閉封自在に覆う蓋体３０とからなる。容器本体２０と蓋体３０は、何れもプラスチックの射出成形品からなっており、手で把持できるサイズに設計されている。内容物を取出す際は、容器１０を片手で持ち、開口を下方へと傾ける、若しくは、容器を軽く振る動作により、後述する所定個数収容部７に予め収容された内容物が、前記開口９より取り出される構成である。特に蓋体３０が、所望個数の内容物を取り出し可能な位置において、スライドが停止するロック機構を有しており、この例では、蓋体３０のスライドが２段階の大きさに調節可能である。
【００２７】
以下に、この容器１０の構成を説明する。図２に示すように、容器本体２０は、上容器本体２１と、下容器本体２２とが組み合わされて１つの容器２０を形成しており、上容器本体２１および下容器本体２２のそれぞれの内部には、仕切り３と内壁とにより区画された所定個数収容部７が形成されている。以後、このような仕切り３により区画された空間からなる所定個数収容部７を「間仕切り型」という。そして、上容器本体２１には、前記所定個数収容部７と略同面積を有する開口９が形成されており、所定個数収容部７に収容された内容物を、この開口９より取り出すものである。
【００２８】
例えば内容物Ｂが、直径が５ｍｍ、高さが３ｍｍの円筒形状からなる粒状物であり、この内容物を２個（Ｂ，Ｂ'）収容可能とした場合、前記所定個数収容部７は、少なくとも幅ｘが５ｍｍ、長さｙが１０ｍｍ以上からなる空間を形成する必要がある。これにより、容器に生じる軽い振動等により、容器内の複数個の内容物が、仕切り３により間仕切りされた所定個数収容部７内へと随時移動して整列することとなる。
【００２９】
また、上容器本体２１には、図示しない蓋体３０が、前後かつ水平方向にスライドするための空間である凹形状のスライド枠２７が形成されている。そして、スライド枠２７の一端には、内容物を取り出すための前記開口９が形成され、スライド枠２７の中央部分には、図示しない、蓋体３０の係合部材３５が、嵌合しつつ左右にスライドするためのスライド孔２５が形成され、スライド枠２７の他端には、蓋体３０のスライドが２段階でロックするための２つのロック溝２８が形成されている。また、スライド枠２７は、蓋体３０がスライドする際の左右のガイド、および前後のスライド終端としての機能を有している。
【００３０】
そして、このスライド枠２７に係合するための蓋体３０は、図３に示すように、蓋体３０の表面３３には、複数の凸部材３１が形成されており、これら複数の凸部材３１は、蓋体３０をスライドする際の、指のすべり止め効果や、スライドの方向やロック位置の情報等を示す効果がある。また、図３（ｂ）に示すように、蓋体３０の裏面３４の略中央部分には、前記容器本体２０に形成されたスライド孔２５に係合してスライドするための係合部材３５が形成されている。そして、蓋体３０の裏面３４の端部付近には、凸形状のスライド突起３８が形成されており、前記容器本体２０のスライド枠２７に形成されたロック溝２８に、スライド突起３８が係合することにより、所定の位置においてスライドを停止することが可能である。このように、容器本体２０に形成されたスライド孔２５に、蓋体３０の係合部材３５が、係合しつつスライド自在に形成する方法を以後「センターレール方式」という。また、蓋体３０のスライド突起３８（凹凸部材）としては、後述する、容器本体２０に形成された、ロック溝２８（凹凸部材）に係合するものであればよく、点状の突起や、線状の突起など、様々な形状が考えられるが、その形状は限定されるものではない。
【００３１】
そして、図４（ａ），（ｂ）に示すように、上容器本体２１と下容器本体２２とが組み合わされ、かつ、蓋体３０の裏面３４の係合部材３５が、上容器本体２１のスライド孔２５に係合して、図５に示すような、容器１０を完成する。上容器本体２１と下容器本体２２との組合せは、この例では、ボス嵌合方式を示したが、容器の組合せ方法は、容器の形状に合わせて適宜選択的に設計可能である。
【００３２】
以上のようにして形成された容器１０は、図５に示すように、所定の位置でスライドがロックされる（多段スライド）ことにより、開口９の開口量を調節することが可能である。すなわち、内容物を１個取出すための１段目のロックは、蓋体３０のスライド突起３８と、容器本体２０のロック溝２８とが係合する位置において、開口９の大きさ（開口量）が、内容物の１個に相当する大きさとなるように構成されている。また、内容物を２個取り出すための２段目のロックは、開口９の大きさが内容物の２個に相当する大きさとなるように、蓋体３０のスライド突起３８と、容器本体２０のロック溝２８とが係合するように構成されている。よって、蓋体３０のロック位置を、少なくとも所望個数の内容物の大きさの開口９が形成される位置とすることにより、内容物を取り出す量を調節することが可能である。また、ロック溝２８は、前記蓋体のスライド突起が係合する形状を有すれば良く、凹形状の窪み、孔、凹凸部位など、様々な形状が考えられるが、その形状は限定されるものではない。
【００３３】
上記容器１０から所望個数の内容物を取り出す際は、所望の取出し量に対応した位置へと前記蓋体３０のスライドを行った後、容器１０を傾けることにより、開口９から所望量の内容物が取り出されることとなる。続けて、所望個数の内容物を取り出したい場合は、容器１０を水平に軽く振り、振動を与えることにより、容器内部の内容物が容器内で摺動して、所定個数収容部へと導かれる。そして、容器１０を傾けることにより、同様に開口９から所望量の内容物を取り出すことができる。また、内容物を所望量以上に取り出してしまった場合であっても、容器１０を軽く傾けて、所定個数収容部７内の空の状態にして、内容物を開口９から簡単に戻すことができる。
【００３４】
このように、本発明の可変定量取出し容器１０は、所定個数収容部７に収容された所定個数の内容物を取出すための開口９を、多段スライド可能な蓋体３０により覆うことにより、簡単な構成により所望の個数の内容物のみを選択的に取出すことが可能である。
【００３５】
蓋体３０のスライド機構としては、このように蓋体の係合部材３５を容器本体２０のスライド孔２５に係合しつつスライド自在に形成した方式（センターレール方式）に限らず、例えば、後述する、「外レール方式」や、「内レール方式」でも良く、さらに、容器本体２０の所定個数収容部７は、間仕切り型に限らず、後述する、「狭所進入型」や、「直進型」でも良く、さらには、これらを組み合わせることにより、数多くのパターンからなる可変定量取出し容器１０を形成することが可能である。
【００３６】
次に、蓋体３０のスライド機構の一例として、「外レール方式」について説明する。
「外レール方式」は、図６に示すように、容器本体２０のスライド枠２７の側辺に沿って形成された凹形状の凹レール２６に、蓋体３０に形成された凸形状の凸レール３６を、外側から挟み込むように係合することにより、蓋体３０をスライド自在に形成した方式である。そして、スライド枠２７に形成された２つのロック溝２８と、蓋体３０の裏面に形成されたスライド突起３８とが所定の位置において係合することにより、２段のロック機構を有する多段スライド機構を形成することが可能である。
【００３７】
この場合、蓋体３０は、図７（ａ）（ｂ）に示すように、蓋体３０の両側には、蓋体３０の側辺に沿って、凸形状のレールからなる凸レール３６が形成されている。そして、蓋体３０の内側には、凸形状のスライド突起３８が形成されている。このスライド突起３８が、容器本体２０のスライド枠２７に形成された複数のロック溝２８に、順次係合することにより、所定位置での蓋体３０のロックが可能である。
【００３８】
容器本体２０は、図８（ａ）に示すように、上容器本体２１および下容器本体２２の内側には、仕切り３により区画された間仕切り型の所定個数収容部７が形成されている。  そして、上容器本体２１および下容器本体２２のスライド枠２７には、該スライド枠２７の側辺に沿って凹レール２６が形成され、かつ、蓋体３０のスライドを所定位置において停止させるための２つの凹形状の溝からなるロック溝２８が形成されている。ロック溝２８の位置は、蓋体３０の長さや形状によって異なるが、蓋体３０がスライドして、所定の開口量が形成される位置において、蓋体３０のスライドが段階的にロックする位置に形成される。そして、上容器本体２１および下容器本体２２をそれぞれ組合せた後、図８（ｂ）に示すように、蓋体３０の凸レール３６を、容器本体２０の凹レール２６へと、外側から挟み込むようにして係合して、容器１０を完成する。
【００３９】
特に、蓋体３０のスライド機構は、図９に示すように、蓋体３０の凸レール３６が、容器本体２０のスライド枠２７に形成された凹レール２６へと、外側から係合してスライド自在とする外レール方式である。そして、所定位置において蓋体３０のスライドを停止するロック機構は、蓋体３０に形成されたスライド突起３８が、スライド枠２７に形成されたロック溝２８に段階的に係合することにより、図１０に示すように、蓋体３０のスライドを段階的にロックする多段スライドが可能である。
【００４０】
例えば、蓋体３０に形成されたスライド突起３８は、図１０（ｂ）に示すように、スライド枠２７に形成された１段目のロック溝２８に係合した場合、１個の内容物Ｂが通過可能な開口９が形成される。よって、内容物を１個だけ取り出すことができる。また、図１０（ｃ）に示すように、２段目のロック溝２８'に、蓋体３０のスライド突起３８が係合した場合、２個の内容物Ｂ、Ｂ'が通過可能な開口９が形成される。すなわち、内容物を２個だけ取り出すことができる。このように、所定個数収容部７に収容された所定個数の内容物を、取り出す開口９の開口面積を、多段スライド可能な蓋体３０により、調節することにより、所望の個数の内容物だけを選択的に取出すことが可能である。
【００４１】
特に、蓋体３０のスライド機構として、外レール方式とした場合、蓋体３０を小さく形成することができるとともに、容器本体の肉薄部分にスライド機構を形成することができる効果がある。また、前記センターレール方式では、開口９以外にスライド孔２５を必要とするが、外レール方式では、開口９以外にスライド孔２５等の開口部分を設ける必要がないため、容器１０の密閉性が良いという効果がある。
【００４２】
次に、スライド機構の一例として、「内レール方式」について、以下に説明する。
「内レール方式」は、図１１に示すように、容器本体２０のスライド枠２７の内周に沿って形成された凹形状の溝からなる凹レール２６に、蓋体３０の凸レール３６を内側から係合して、蓋体３０をスライド自在に形成した方式である。そして、スライド枠２７に形成された２つのロック溝２８と、蓋体３０の裏面に形成されたスライド突起３８とが所定の位置において係合することにより、２段のロック機構を有するスライド機構とすることが可能である。
【００４３】
この場合、蓋体３０は、図１２（ａ）（ｂ）に示すように、蓋体３０の外周には、表面より僅かに低い位置において凸形状の凸レール３６が形成されている。そして、蓋体３０の裏面３４には、前記容器本体２０に形成されたロック溝２８に係合するための、凸形状のスライド突起３８が形成されている。このスライド突起３８が、容器本体２０のスライド枠２７に形成された複数のロック溝２８に、順次係合することにより、所定位置での蓋体３０のロックが可能である。
【００４４】
容器本体２０は、図１３（ａ）に示すように、上容器本体２１および下容器本体２２の内側には、仕切り３により区画され、２個の内容物が収容可能な大きさからなる所定個数収容部７が形成されている。そして、上容器本体２１のスライド枠２７には、該スライド枠２７の内周縁に沿って凹形状の凹レール２６が形成され、かつ、蓋体３０のスライドを所定位置において停止させるための３つのロック溝２８が形成されている。そして、上容器本体２１および下容器本体２２を、それぞれ組合せ、かつ、図１３（ｂ）に示すように、蓋体３０の前記凸レール３６を、容器本体２０の前記凹レール２６へと、内側から係合することにより、蓋体３０をスライド自在に形成している。
【００４５】
特に、蓋体３０のスライド機構は、図１４（ａ）に示すように、蓋体３０に形成された凸レール３６が、容器本体２０のスライド枠２７に形成された凹レール２６へと、内側から係合しつつスライドする内レール方式である。そして、図１４（ｂ）に示すように、蓋体３０のスライド突起３８が、スライド枠２７に形成された３つのロック溝（２８，２８’、２８”）にそれぞれ係合することにより、図１５に示すように、ロック時、１段開封時、２段開封時の３段階に応じた蓋体３０のロックが可能である。
【００４６】
例えば、図１５（ａ）に示すように、蓋体３０に形成されたスライド突起３８が、スライド枠２７に形成された１段目のロック溝２８に係合した場合、蓋体３０が閉封され、図１５（ｂ）に示すように、２段目のロック溝２８'に、蓋体３０のスライド突起３８が係合した場合、１個の内容物が通過可能な開口９が形成される。よって、内容物Ｂを１個だけ取り出すことができる。また、図１５（ｃ）に示すように、３段目のロック溝２８''に、蓋体３０のスライド突起３８が係合した場合、２個の内容物Ｂ、Ｂ'が通過可能な開口９が開口形成される。すなわち、内容物を２個だけ取り出すことができる。このように、所定個数収容部７に収容された所定個数の内容物を取り出す開口９の開口面積を、多段スライド可能な蓋体３０により、調節することにより、所望の個数の内容物だけを選択的に取出すことが可能である。
【００４７】
特に、蓋体３０のスライド機構を内レール方式とすることにより、蓋体３０およびスライド枠２７の大きさを小さく形成することが可能である効果がある。また、スライド枠２７は、少なくとも開口９の２倍の大きさを有すれば良く、また、蓋体３０も開口９と略同面積を有すれば良い。また、開口９以外に、前記センターレール方式でのスライド孔２５等の別途開口部分を設ける必要がないため、容器１０の密閉性が高い効果がある。
【００４８】
以上のように、蓋体３０のスライド機構は、センターレール方式、外レール方式、内レール方式など容器１０の形状に合わせてスライド機構を形成することができる。そして、所定個数収容部７は、容器内部に形成した仕切り３により区画された間仕切り型の空間とすることにより、簡単な構成で所定個数の内容物を収容可能な空間を形成可能である。
【００４９】
また、蓋体３０に形成されたスライド突起３８と、スライド枠２７に形成されたロック溝２８とは、逆に形成しても良く、例えば、容器本体２０のスライド枠２７にスライド突起３８を形成し、蓋体３０にロック溝２８を形成しても良い。さらには、スライド突起３８を複数段に形成して、ロック溝２８が前記複数段のスライド突起３８へと係合することにより可変定量取出し機構（スライド機構）を形成しても良い。
また、蓋体の内側に形成されるスライド突起及び、スライド枠に形成されるロック溝の形成位置は、蓋体内側の中央部分に限らず、左右側寄りに形成しても良い。これにより、スライド時に指で下方へと押さえながら蓋体をスライドさせた際に生じる、下方への力により、スライド及びロックが重くなってしまうことを防ぐことが可能である。
【００５０】
所定個数収容部７としては、容器内部の仕切り３により区画された「間仕切り型」以外にも、後述する、「狭所進入型」や「直進型」などが考えられ、前記スライド機構との組合せにより、さらに様々な形状からなる可変定量取出し容器１０を形成することが可能である。
【００５１】
次に、所定個数収容部７として、容器１０の一部形状そのものが所定個数の内容物を収容可能な空間からなる、「狭所進入型」について説明する。「狭所進入型」の一例としては、図１６に示すように、容器１０の一部が突出した突出部Ｔを所定個数収容部７とし、該所定個数収容部７の上方に開口９を形成し、かつ開口９部分にスライド枠２７を形成して上述のスライド機構を形成することにより、可変定量取出し容器１０を形成することが可能である。
【００５２】
例えば、所定個数収容部７に「狭所進入型」を、かつスライド機構に「センターレール方式」を適用した場合、図１７（ａ）（ｂ）に示すように、容器の突出部Ｔを、内容物が最大で２個収容可能な所定個数収容部７とし、該所定個数収容部７の前記上容器本体２１に、２個の内容物が取出し可能な大きさを有する開口９を形成する。そして、開口９の隣にセンターレール方式のスライド孔２５を形成し、該スライド孔２５の内側に、内方へと凸形状のロック溝２８、２８'を形成する。そして、蓋体３０の係合部材３５を、上容器本体２１のスライド孔２５に係合する。そして、図１８に示すように、蓋体３０の係合部材３５を、スライド孔２５の前記凸形状のロック溝２８、２８'に係止することにより、多段スライド機構を形成することが可能である。このように、多段スライド機構を構成するロック溝２８、２８'は、スライド孔２５の内側に形成された、凸形状からなるロック溝２８、２８'であっても良く、このような多段スライド機構を形成した上容器本体２１と下容器本体２２とを組み合わせ、図１９に示すような、可変定量取出し容器１０を形成する。
【００５３】
図１９は、所定個数収容部７に前記狭所進入型を、かつスライド機構に前記センターレール方式を適用した可変定量取出し容器１０を示し、前述のセンターレール方式のスライド機構と同様に、蓋体３０の裏面に形成されたスライド突起３８が、容器本体２０に形成された凸形状のロック溝２８、２８'に係止することにより、多段スライド機構を形成する。図１９（ａ）は閉封時を、図１９（ｂ）は、１個の内容物Ｂを取り出し可能な１段の開封時を、図１９（ｃ）は、２個の内容物Ｂ、Ｂ'を取り出し可能な２段の開封時を、それぞれ示す。
【００５４】
次に、所定個数収容部７に「狭所進入型」を、かつスライド機構に「内レール方式」を適用した場合、図２０に示すような、可変定量取出し容器１０を形成することが可能である。特に、スライド機構として内レール方式とした場合、スライド枠を小さく形成することが可能である。よって、３段、４段などの多段スライド機構に向いている。この場合、容器１０の突出部Ｔを所定個数収容部７とし、該所定個数収容部７の上方に開口９を形成し、かつ開口９部分にスライド枠２７を形成して上述の内レール方式のスライド機構を形成することにより、可変定量取出し容器１０を形成することが可能である。
【００５５】
例えば、図２１（ａ）（ｂ）に示すように、上容器本体２１および下容器本体２２の突出部Ｔを、内容物が最大で２個収容可能な所定個数収容部７とし、前記上容器本体２１の前記所定個数収容部７の上方に、２個の内容物が取出し可能な大きさを有する開口９を形成し、該開口９部分に蓋体３０が前後にスライド可能とするスライド枠２７を形成する。そして、スライド枠２７の内周縁に凹レール２６を形成する。そして、上容器本体２１と下容器本体２２とを組み合わせ、かつ蓋体３０の凸レール３６を、スライド枠２７の凹レール２６に内側から係合して、図２２に示すような、可変定量取出し容器１０を形成する。
【００５６】
図２２は、所定個数収容部７に前記狭所進入型を、かつスライド機構に前記内レール方式を適用した可変定量取出し容器１０を示し、前述の内レール方式のスライド機構と同様に、蓋体３０の裏面に形成されたスライド突起３８が、容器本体２０に形成されたロック溝２８に係合することにより、多段スライド機構を形成する。図２２（ａ）は閉封時を、図２２（ｂ）は、１個の内容物Ｂを取り出し可能な１段の開封時を、図２２（ｃ）は、２個の内容物Ｂ、Ｂ'を取り出し可能な２段の開封時を、それぞれ示す。
【００５７】
次に、所定個数収容部７に「狭所進入型」を、かつスライド機構に前記「外レール方式」を適用した場合、図２３に示すような、可変定量取出し容器１０を形成することが可能である。特に、スライド機構を外レール方式とした場合、容器本体の断面が、細い若しくは薄い形状に向いている。この場合、容器１０の突出部Ｔを所定個数収容部７とし、該所定個数収容部７の上方に開口９を形成し、かつ開口９部分にスライド枠２７を形成して上述の外レール方式のスライド機構を形成することにより、可変定量取出し容器１０を形成することが可能である。
【００５８】
例えば、図２４（ａ）に示すように、上容器本体２１および下容器本体２２の突出部Ｔの先端部分の一部を、内容物が２個収容可能な所定個数収容部７とし、前記上容器本体２１の前記所定個数収容部７の上方に、２個の内容物が取出し可能な大きさを有する開口９を形成し、該開口９部分に蓋体３０が前後にスライド可能とするスライド枠２７を形成する。そして、スライド枠２７の両側端部分に沿って凹レール２６を形成する。そして、図２４（ｂ）に示すように、上容器本体２１と下容器本体２２とを組み合わせ、かつ蓋体３０の凸レール３６を、スライド枠２７の凹レール２６に外側から挟み込むように係合することにより、図２５に示すような、可変定量取出し容器１０を形成する。
【００５９】
図２５は、所定個数収容部７に前記狭所進入型を、かつスライド機構に前記外レール方式を適用した可変定量取出し容器１０を示し、前述の外レール方式のスライド機構と同様に、蓋体３０の裏面に形成されたスライド突起３８が、容器本体２０に形成されたロック溝２８に係合することにより、多段スライド機構を形成する。図２５（ａ）は閉封時を、図２５（ｂ）は、１個の内容物Ｂを取り出し可能な１段の開封時を、図２５（ｃ）は、２個の内容物Ｂ、Ｂ'を取り出し可能な２段の開封時を、それぞれ示す。
【００６０】
以上のようにして、所定個数収容部７を容器の突出した突出部Ｔに形成し、かつ、スライド機構として、上記３パターン（内レール方式、外レール方式、センターレール方式）をそれぞれ組み合わせることにより、可変定量取出し容器１０を形成することが可能である。
【００６１】
特に、所定個数収容部７を狭所進入型とした場合、容器内部に仕切りなどの部材を別途形成する必要がなく、容器の突出した部分を直に用いるため、簡単な構成により、可変定量取出し容器を形成することが可能である。さらには、所定個数収容部７を狭所進入型とした場合、内容物を縦方向と横方向と高さ方向との３次元方向に絞り込むことが可能であるため、球形状、タブレット形状等の様々な立体形状を有する、内容物の形状に合わせて、所定個数収容部７を形成することが可能である。そして、前述のスライド機構を組み合わせることにより、容器形状にあわせて、様々なスライド機構を形成することが可能である。
【００６２】
次に、所定個数収容部７として、容器１０の形状そのものが、内容物を直列に整列可能な直方体の形状からなり、該容器の一部を所定個数収容部７とした「直進型」について説明する。「直進型」の一例としては、は、図２６に示すように、容器１０の一端部分を所定個数収容部７とし、該所定個数収容部７の上方に開口９を形成し、かつ開口９部分にスライド枠２７を形成して上述のスライド機構を形成することにより、可変定量取出し容器１０を形成することが可能である。
【００６３】
例えば、所定個数収容部７に「直進型」を、かつスライド機構に「内レール方式」を適用した場合、図２７（ａ）（ｂ）に示すように、上容器本体２１および下容器本体２２の一部分を、２個の内容物Ｂ、Ｂ'が収容可能な所定個数収容部７とし、前記上容器本体２１の前記所定個数収容部７の上方に、２個の内容物が取出し可能な大きさを有する開口９を形成し、該開口９部分に蓋体３０が前後にスライド可能とするスライド枠２７を形成し、スライド枠２７の内周縁に凹レール２６を形成する。そして、スライド枠２７に２段のロック溝２８を形成する。上容器本体２１と下容器本体２２とを組み合わせ、かつ蓋体３０の凸レール３６を、スライド枠２７の凹レール２６に内側から係合して、図２８に示すような、可変定量取出し容器１０を形成する。
【００６４】
図２８は、所定個数収容部７に直進型を、かつスライド機構に内レール方式を適用した可変定量取出し容器１０を示し、前述の内レール方式のスライド機構と同様に、蓋体３０の裏面に形成されたスライド突起３８が、容器本体２０に形成されたロック溝２８に係合することにより、多段スライド機構を形成する。図２８（ａ）は閉封時を、図２８（ｂ）は、１個の内容物Ｂを取り出し可能な１段の開封時を、図２８（ｃ）は、２個の内容物Ｂ、Ｂ'を取り出し可能な２段の開封時を、それぞれ示す。
【００６５】
次に、所定個数収容部７に「直進型」を、かつスライド機構に前記「外レール方式」を適用した場合、図２９に示すような、可変定量取出し容器１０を形成することが可能である。この場合、容器１０の一端部分を所定個数収容部７とし、該所定個数収容部７の上方に開口９を形成し、かつ開口９部分にスライド枠２７を形成して上述の外レール方式のスライド機構を形成することにより、可変定量取出し容器１０を形成することが可能である。
【００６６】
例えば、図３０（ａ）に示すように、上容器本体２１および下容器本体２２の一端部分を、２個の内容物が収容可能な所定個数収容部７とし、前記上容器本体２１の前記所定個数収容部７の側方に、２個の内容物が取出し可能な大きさを有する開口９を形成し、該開口９部分に蓋体３０が前後にスライド可能とするスライド枠２７を形成する。特に、ロック溝２８は、スライド枠２７の枠部分に沿って形成しても良く、また、スライド突起３８は、蓋体３０の側面部分に形成しても良い。そして、図３０（ｂ）に示すように、上容器本体２１と下容器本体２２とを組み合わせ、スライド枠２７の両側端部分に沿って形成された凹レール２６に、蓋体３０の凸レール３６を、外側から挟み込むように係合して、図３１に示すような、可変定量取出し容器１０を形成する。
【００６７】
図３１は、所定個数収容部７に前記直進型を、かつスライド機構に前記外レール方式を適用した可変定量取出し容器１０を示し、特に、蓋体３０の側面部分に形成されたスライド突起３８が、容器本体２０のスライド枠２７の枠部分に沿って形成された複数段のロック溝２８に係合することにより、スライド突起３８とロック溝２８とが係合する際のロック音が大きく、さらには、蓋体３０と容器本体２０との係合がより強固な、多段スライド機構を形成することが可能である。図３１（ａ）は閉封時を、図３１（ｂ）は、１個の内容物Ｂを取り出し可能な１段の開封時を、図３１（ｃ）は、２個の内容物Ｂ、Ｂ'を取り出し可能な２段の開封時を、それぞれ示す。
【００６８】
次に、所定個数収容部７に「直進型」を、かつスライド機構に前記「センターレール方式」を適用した場合、図３２に示すような、可変定量取出し容器１０を形成することが可能である。この場合、容器１０の一端部分を所定個数収容部７とし、該所定個数収容部７の上方に開口９を形成し、かつ開口９部分にスライド枠２７を形成して上述のセンターレール方式のスライド機構を形成することにより、可変定量取出し容器１０を形成することが可能である。
【００６９】
例えば、所定個数収容部７に直進型を、かつスライド機構にセンターレール方式を適用した場合、図３３に示すように、上容器本体２１及び下容器本体２２の一端部分を３個の内容物が収容可能な所定個数収容部７とし、該所定個数収容部７の上方の前記上容器本体２１に、３個の内容物が取出し可能な大きさを有する開口９を形成し、該開口９の隣にセンターレール方式のスライド孔２５を形成し、該スライド孔２５のとなりに３段のロック溝２８を形成する。そして、上容器本体２１と下容器本体２２とを組み合わせ、かつ蓋体３０の前記係合部材３５をスライド孔２５に係合して、図３４に示すような、可変定量取出し容器１０を形成する。
【００７０】
図３４は、所定個数収容部７に前記直進型を、かつスライド機構に前記センターレール方式を適用した可変定量取出し容器１０を示し、前述のセンターレール方式のスライド機構と同様に、蓋体３０の裏面に形成されたスライド突起３８が、容器本体２０に形成されたロック溝２８に係合することにより、多段スライド機構を形成する。図３４（ａ）は閉封時を、図３４（ｂ）は、１個の内容物Ｂを取り出し可能な１段の開封時を、図３４（ｃ）は、２個の内容物Ｂ、Ｂ'を取り出し可能な２段の開封時を、図３４（ｄ）は、３個の内容物Ｂ、Ｂ'を取り出し可能な３段の開封時を、それぞれ示す。
【００７１】
以上のようにして、所定個数収容部７を容器の一部分とし、かつ、スライド機構として、上記３パターン（内レール方式、外レール方式、センターレール方式）をそれぞれ組み合わせることにより、可変定量取出し容器１０を形成することが可能である。
【００７２】
特に、所定個数収容部７を直進型とした場合、容器内部に仕切りなどの部材を別途形成する必要がなく、容器そのものの形状を用いるため、簡単な構成により、可変定量取出し容器を形成することが可能である。さらには、前述のスライド機構を組み合わせることにより、容器形状にあわせて、様々なスライド機構を形成することが可能である。
【００７３】
このように、本発明の可変定量取出し容器は、様々なパターンのスライド機構と、所定個数収容部との組み合わせにより種々の構成からなる可変定量取出し容器を形成することが可能である。よって、容器のデザインや、内容物を取り出す量などによって、適宜これらのパターンを組み合わせることにより、様々な構成の可変定量取出し容器を形成可能である。
【００７４】
また、本発明の可変定量取出し容器１０の、スライド機構や所定個数収容部７は、直線部分に限らず曲面部分に形成しても良い。例えば、図３５に示すように、容器１０の一部が半円形状Ｗ（曲面部分Ｗ）を有している場合、上述のスライド機構はもちろん、上述以外にも、容器１０の一部に軸Ｋを形成し、この軸Ｋを中心に回転可能な蓋体３０による、回転スライド方式であっても良い。「回転スライド方式」の一例としては、は、図３５に示すように、容器１０の曲面部分に所定個数収容部７を形成し、該所定個数収容部７の上方に開口９を形成し、かつ開口９部分を覆う、回転スライド方式の蓋体を形成することにより、可変定量取出し容器１０を形成するものである。
【００７５】
例えば、所定個数収容部７に前記「間仕切り型」を、かつスライド機構に「回転スライド方式」を適用した場合、図３６（ａ）に示すように、上容器本体２１及び下容器本体２２の曲面部分Ｗに、２個の内容物が収容可能な仕切り３を形成した所定個数収容部７を形成し、該所定個数収容部７の上方の前記上容器本体２１に、２個の内容物が取出し可能な大きさを有する開口９を形成し、該開口９の隣に３段のロック溝２８を形成する。そして、図３６（ｂ）に示すように、上容器本体２１と下容器本体２２とを組み合わせ、かつ蓋体３０の係合孔Ｄを容器本体２０の回転軸Ｋ（軸Ｋ）に係合することにより、図３７に示すような、可変定量取出し容器１０を形成する。
【００７６】
図３７は、所定個数収容部７に前記間仕切り型を、かつスライド機構に前記回転スライド方式を適用した可変定量取出し容器１０を示し、前述のスライド機構と同様に、蓋体３０の裏面に形成されたスライド突起３８が、容器本体２０に形成されたロック溝２８に係合することにより、多段スライド機構を形成する。図３７（ａ）は閉封時を、図３７（ｂ）は、１個の内容物Ｂを取り出し可能な１段の開封時を、図３７（ｃ）は、２個の内容物Ｂ、Ｂ'を取り出し可能な２段の開封時を、それぞれ示す。
【００７７】
特に、スライド機構として回転スライド方式を適用することにより、意匠性の高い容器を形成することが可能である。さらには、前述のスライド機構を組み合わせることにより、容器形状にあわせて、様々なスライド機構を形成することが可能である。
【００７８】
このように、本発明の可変定量取出し容器１０は、スライド機構として、センターレール方式や、内レール方式や、外レール方式や、回転スライド方式など、種々の構成からなるスライド機構を適用することが可能であり、さらには、所定個数収容部として、間仕切り型や、狭所進入型や、直進型など、種々の構成からなる所定個数収容部を適用することが可能である。よって、内容物の種類や、容器の形状など、目的に応じて適宜これら構成を組み合わせることにより、様々な構成の可変定量取出し容器を形成することができる。
【００７９】
上記本発明の可変定量取出し容器の用途としては、粒状または顆粒状の錠菓類、ビタミン剤、サプリメント、健康補助食品、医薬品などを収容し、所望個数を取出し可能な携帯用容器として用いることが考えられる。特に、１回に摂取する量がある程度決まっている物を内容物とした場合に、本発明の可変定量取出し容器の効果が発揮されるものである。また、所定個数収容部または容器本体を、透明な樹脂等で形成しても良く、内容物を直接確認することができるため、より確実に可変定量取出しを行なうことが可能である。上記の容器本体、蓋体、の形状は、図１から図３７で示したような、直方体形状、棒形状、半円形状に限られるものではなく、多角形上でも良く、容器および蓋体の形状を限定するものではない。また、内容物としては、上記例で示した、タブレットや球のみならず、糖衣錠剤などの形状や、ラグビーボールの形状などの、様々な形状であっても良く、内容物の形状は限定されない。また、蓋体３０は、スライド可能な形状であれば、その形状は限定されるものではなく、さらには、蓋体を取付ける位置も、容器上部や側部のみならず、容器の中央や、容器の上部と側部を跨ぐ箇所であっても良い。また、蓋体３０のスライド突起３８と、容器本体２０のロック溝２８は、互いに係合可能な凹凸部材を形成すればよく、蓋体３０に凹形状のスライド突起３８、容器本体に凸形状のロック溝２８としても良い。また、図１に示すように、蓋体３０と、容器本体２０との、所望個数取出し位置において、図示のようなロック位置に関する表示等を設けても良く、簡単に所望個数取出し段のロック位置を認識することができるため、より利便性が高くなる効果がある。
【図面の簡単な説明】
【００８０】
【図１】（ａ）（ｂ）（ｃ）本発明の可変定量取出し容器の一例を示す図である。
【図２】容器本体の組立て時を示す図である。
【図３】蓋体の、（ａ）表面を示す図、（ｂ）裏面を示す図である。
【図４】容器の組立て時を示す、（ａ）下から見上げた場合、（ｂ）上から見下ろした場合を示す説明図である。
【図５】所定位置での蓋体のロックを示す説明図である。
【図６】本発明の可変定量取出し容器の別の例を示す図である。
【図７】蓋体の、（ａ）表面を示す図、（ｂ）内側を示す図である。
【図８】（ａ）容器本体の組立て時を示す説明図、（ｂ）蓋体の取付け時を示す説明図である。
【図９】蓋体のスライドを示す、上容器本体の一部切断斜視図である。
【図１０】（ａ）（ｂ）（ｃ）所定位置での蓋体のロックを示す図である。
【図１１】本発明の可変定量取出し容器の別の例を示す図である。
【図１２】蓋体の、（ａ）表面を示す図、（ｂ）裏面を示す図である。
【図１３】（ａ）容器の組立て時を示す図、（ｂ）容器の一部切断図である。
【図１４】（ａ）（ｂ）スライド機構の内レール方式を示す、容器の一部切断図である。
【図１５】（ａ）（ｂ）（ｃ）所定位置での蓋体のロックを示す図である。
【図１６】本発明の可変定量取出し容器の別の例を示す図である。
【図１７】容器の組立て時を示す、（ａ）上から見下ろした場合、（ｂ）下から見上げた場合を示す説明図である。
【図１８】容器の組立て時を示す、下から見上げた場合を示す説明図である。
【図１９】（ａ）（ｂ）（ｃ）所定位置での蓋体のロックを示す図である。
【図２０】本発明の可変定量取出し容器の別の例を示す図である。
【図２１】容器の組立て時を示す、（ａ）上から見下ろした場合、（ｂ）下から見上げた場合を示す説明図である。
【図２２】（ａ）（ｂ）（ｃ）所定位置での蓋体のロックを示す図である。
【図２３】本発明の可変定量取出し容器の別の例を示す図である。
【図２４】（ａ）容器本体の組立て時を示す説明図、（ｂ）蓋体の取付け時を示す説明図である。
【図２５】（ａ）（ｂ）（ｃ）所定位置での蓋体のロックを示す図である。
【図２６】本発明の可変定量取出し容器の別の例を示す図である。
【図２７】容器の組立て時を示す、（ａ）上から見下ろした場合、（ｂ）下から見上げた場合を示す説明図である。
【図２８】（ａ）（ｂ）（ｃ）所定位置での蓋体のロックを示す図である。
【図２９】本発明の可変定量取出し容器の別の例を示す図である。
【図３０】（ａ）容器本体の組立て時を示す説明図、（ｂ）蓋体の取付け時を示す説明図である。
【図３１】（ａ）（ｂ）（ｃ）所定位置での蓋体のロックを示す図である。
【図３２】本発明の可変定量取出し容器の別の例を示す図である。
【図３３】容器の組立て時を示す説明図である。
【図３４】（ａ）（ｂ）（ｃ）（ｄ）所定位置での蓋体のロックを示す図である。
【図３５】本発明の可変定量取出し容器の別の例を示す図である。
【図３６】（ａ）容器本体の組立て時を示す説明図、（ｂ）蓋体の取付け時を示す説明図である。
【図３７】（ａ）（ｂ）（ｃ）所定位置での蓋体のロックを示す図である。
【図３８】従来の容器において、内容物の取り出しを示す説明図である。
【符号の説明】
【００８１】
３  仕切り
７  所定個数収容部
９  開口
１０  可変定量取出し容器（容器）
２０  容器本体
２１  上容器本体
２２  下容器本体
２５  スライド孔
２６  凹レール
２７  スライド枠
２８、２８'、２８''  ロック溝（凹凸部材）
３０  蓋体
３１  凸部材
３３  表面
３４  裏面
３５  係合部材
３６  凸レール
３８  スライド突起（凹凸部材）
Ｂ、Ｂ'  内容物
Ｔ  突出部
Ｋ  回転軸（軸）
Ｗ  曲面部分
Ｄ  係合孔
【図１】
0005183887.tif 000002
【図２】
0005183887.tif 000003
【図３】
0005183887.tif 000004
【図４】
0005183887.tif 000005
【図５】
0005183887.tif 000006
【図６】
0005183887.tif 000007
【図７】
0005183887.tif 000008
【図８】
0005183887.tif 000009
【図９】
0005183887.tif 000010
【図１０】
0005183887.tif 000011
【図１１】
0005183887.tif 000012
【図１２】
0005183887.tif 000013
【図１３】
0005183887.tif 000014
【図１４】
0005183887.tif 000015
【図１５】
0005183887.tif 000016
【図１６】
0005183887.tif 000017
【図１７】
0005183887.tif 000018
【図１８】
0005183887.tif 000019
【図１９】
0005183887.tif 000020
【図２０】
0005183887.tif 000021
【図２１】
0005183887.tif 000022
【図２２】
0005183887.tif 000023
【図２３】
0005183887.tif 000024
【図２４】
0005183887.tif 000025
【図２５】
0005183887.tif 000026
【図２６】
0005183887.tif 000027
【図２７】
0005183887.tif 000028
【図２８】
0005183887.tif 000029
【図２９】
0005183887.tif 000030
【図３０】
0005183887.tif 000031
【図３１】
0005183887.tif 000032
【図３２】
0005183887.tif 000033
【図３３】
0005183887.tif 000034
【図３４】
0005183887.tif 000035
【図３５】
0005183887.tif 000036
【図３６】
0005183887.tif 000037
【図３７】
0005183887.tif 000038
【図３８】
0005183887.tif 000039